(57)【要約】  【課題】  レンズ保護体の脱着操作を行うことなくレンズを保護することができるとともに、カメラの操作性を向上することができるようにする。  【解決手段】  レンズ１１を有する撮影部１を回転可能とし、撮影部１を支持した支持部２に、前記レンズ１１を被覆して保護し、前記撮影部１の回転に連動して撮影部１の回転方向と交差する方向へ移動可能としたレンズ保護体４を設け、撮影部１がレンズ開放位置へ回転するときレンズ保護体４をレンズ１１と離隔する位置へ移動させ、撮影部１がレンズ保護位置へ回転するときレンズ保護体４をレンズ１１と接近する位置へ移動させるようにした。【選択図】      図５
2005077532.tif 000002
【特許請求の範囲】
【請求項１】
レンズを有する撮影部及び該撮影部を支持した支持部を備えたカメラにおいて、前記撮影部は回転可能としてあり、前記支持部は前記撮影部の回転に連動して撮影部の回転方向と交差する方向へ移動可能としたレンズ保護体を備えていることを特徴とするカメラ。
【請求項２】
前記レンズ保護体は前記撮影部がレンズ開放位置へ回転するときレンズと離隔する位置へ移動し、前記撮影部がレンズ保護位置へ回転するときレンズと接近する位置へ移動するようにしてある請求項１記載のカメラ。
【請求項３】
前記撮影部及びレンズ保護体の一方は撮影部の回転中心と偏倚する凸部を有しており、撮影部及びレンズ保護体の他方は前記凸部に係合してレンズ保護体を移動させるカムを有する請求項１又は２記載のカメラ。
【請求項４】
前記撮影部はモニタ部が連結されている請求項１乃至３の何れかひとつに記載のカメラ。
【発明の詳細な説明】
【技術分野】
【０００１】
本発明はデジタルスチルカメラ、デジタルビデオカメラなどのカメラに関する。
【背景技術】
【０００２】
図８は従来のビデオカメラの構成を示す斜視図である。ビデオカメラは被写体を撮影するためのレンズを備えている（例えば、特許文献１。）。また、ビデオカメラはレンズ１００を有する支持部１０１の下部に、レンズ１００を被覆して保護するレンズ保護体１０２が紐体１０３により吊下げられた構成になっており（図８参照）、非撮影時にはレンズ１００部にレンズ保護体１０２を外嵌してレンズ１００を保護し、撮影時には、レンズ保護体１０２をレンズ１００部から取外す。
【０００３】
また、モータの回転によって進退可能としたレンズ及び該レンズの進退に連動し、レンズが後退したときレンズの進退路を遮断するシャッタを備えたカメラも知られている。
【特許文献１】特開平６−９８２１０号公報
【発明の開示】
【発明が解決しようとする課題】
【０００４】
ところが、図８に示されたビデオカメラは、紐体１０３により吊下げられたレンズ保護体１０２を手動で脱着操作する必要があるため、このレンズ保護体１０２の脱着操作が億劫になり、改善策が要望されていた。また、レンズ保護体１０２が紐体１０３により吊下げられているため、紐体が邪魔であった。
【０００５】
また、進退可能なレンズを有するカメラにあっては、モータ駆動用電池が放電切れした場合、シャッタを動作させることができなくなる。
【０００６】
本発明は斯かる事情に鑑みてなされたものであり、主たる目的は撮影部を回転可能とし、該撮影部の回転に連動して撮影部の回転方向と交差する方向へ移動可能としたレンズ保護体を設けることにより、レンズ保護体の脱着操作を行うことなくレンズを保護することができるとともに、カメラの操作性を向上することができるカメラを提供することである。
【０００７】
また、他の目的は、撮影部がレンズ開放位置へ回転するときレンズ保護体をレンズと離隔する位置へ移動させ、撮影部がレンズ保護位置へ回転するときレンズ保護体をレンズと接近する位置へ移動させるように構成したことにより、撮影部をスムーズに回転させることができるとともに、レンズ部分の防塵性を高めることができ、撮影部の保護性を向上できるカメラを提供することである。
【０００８】
また、他の目的は、撮影部及びレンズ保護体の一方に撮影部の回転中心と偏倚する凸部を設け、撮影部及びレンズ保護体の他方に前記凸部に係合してレンズ保護体を移動させるカムを設けたことにより、レンズ保護体の移動機構を簡単にでき、電池を用いることなくレンズ保護体を動作させることができるカメラを提供することである。
【０００９】
また、他の目的は、撮影部による撮影状況を目視確認するためのモニタ部を撮影部に連結したことにより、撮影部の回転に連動してモニタ部の位置を変えることができ、カメラの操作性及び撮影性を向上することができるカメラを提供することである。
【課題を解決するための手段】
【００１０】
本発明に係るカメラは、レンズを有する撮影部及び該撮影部を支持した支持部を備えたカメラにおいて、前記撮影部は回転可能としてあり、前記支持部は前記撮影部の回転に連動して撮影部の回転方向と交差する方向へ移動可能としたレンズ保護体を備えていることを特徴とする。
【００１１】
この発明にあっては、回転可能とした撮影部をレンズ開放位置、レンズ保護位置へ回転操作することによりレンズ保護体をレンズと接離する位置へ移動させることができるため、レンズ保護体の脱着操作を行うことなくレンズを保護することができ、しかも、レンズ保護体を吊下げるものに比べてレンズ保護体部分が邪魔になり難く、カメラの操作性を向上することができる。
【００１２】
また、本発明に係るカメラは、前記レンズ保護体は前記撮影部がレンズ開放位置へ回転するときレンズと離隔する位置へ移動し、前記撮影部がレンズ保護位置へ回転するときレンズと接近する位置へ移動するようにしてあることを特徴とする。
【００１３】
この発明にあっては、撮影部をレンズ開放位置へ回転するときレンズ保護体が撮影部にひっかかったりすることの不具合を防ぐことができ、撮影部をスムーズに回転させることができる。しかも、撮影部をレンズ保護位置へ回転するときレンズ保護体を撮影部に接触させてレンズ部分の防塵性を高めることができ、撮影部の保護性を向上できる。
【００１４】
また、本発明に係るカメラは、前記撮影部及びレンズ保護体の一方は撮影部の回転中心と偏倚する凸部を有しており、撮影部及びレンズ保護体の他方は前記凸部に係合してレンズ保護体を移動させるカムを有することを特徴とする。
【００１５】
この発明にあっては、撮影部の回転を凸部及びカムからレンズ保護体に伝動することができるため、レンズ保護体の移動機構が簡単であり、カメラの全体を小形化できるとともに、電池を用いることなくレンズ保護体を動作させることができる。
【００１６】
また、本発明に係るカメラは、前記撮影部はモニタ部が連結されていることを特徴とする。
【００１７】
この発明にあっては、撮影部の回転に連動してモニタ部の位置を変えることができるため、カメラの操作性及び撮影性を向上することができる。
【発明の効果】
【００１８】
本発明によれば、レンズ保護体の脱着操作を行うことなくレンズを保護することができるとともに、カメラの操作性を向上することができる。
【００１９】
また、本発明によれば、撮影部をスムーズに回転させることができるとともに、レンズ部分の防塵性を高めることができ、撮影部の保護性を向上できる。
【００２０】
また、本発明によれば、レンズ保護体の移動機構が簡単であり、カメラの全体を小形化できるとともに、電池を用いることなくレンズ保護体を動作させることができる。
【００２１】
また、本発明によれば、撮影部の回転に連動してモニタ部の位置を変えることができ、カメラの操作性及び撮影性を向上することができる。
【発明を実施するための最良の形態】
【００２２】
以下本発明をその実施の形態を示す図面に基づいて詳述する。図１は本発明に係るカメラの構成を示す分解した概略斜視図、図２はカメラの一部を拡大した平面図、図３はカメラの構成を示す平面側斜視図、図４はカメラの構成を示す底面側斜視図、図５はカメラの撮影部をレンズ開放位置へ回転した状態の斜視図である。
【００２３】
このカメラはレンズ１１を有する撮影部１と、該撮影部１を回転可能に支持した支持部２と、撮影部１に回動可能に連結され、撮影部による撮影状況を目視確認するためのモニタ部３、換言すればビューファインダと、レンズ１１を被覆して保護するレンズ保護体４とを備えたデジタルビデオカメラである。
【００２４】
支持部２は直方体部分の長手方向一端部を半円形の湾曲面２ａとし、さらにこの湾曲面２ａから適宜の位置にかけて円形の凹所２ｂとした扁平に形成されており、凹所２ｂに撮影部１を枢支するための枢支部２ｃと、後記する凸部６が挿入される長孔２ｄとが設けられている。尚、長孔２ｄは湾曲面２ａと枢支部２ｃとの間に配置されている。また、支持部２の凹所２ｂと反対側面にはレンズ保護体４を撮影部１の回転方向と交差する方向へ移動可能に支持するための支持溝２ｅが設けられており、さらに支持溝２ｅに臨む位置にレンズ保護体４とほぼ等幅寸法の合成樹脂製の板体１０が設けられている。
【００２５】
撮影部１は外周部にレンズ１１を有し、中心部に枢支部１２を有する円盤部１ａと、該円盤部１ａの一側部に突設され支持部２の平面形状に対応する板部１ｂとを有しており、枢支部１２が凹所２ｂの枢支部２ｃに回転可能に取着されている。円盤部１ａの他側部には撮影部１の回転中心と偏倚する位置にカム５が設けられている。このカム５は前記回転中心からの寸法が適宜に変更された溝からなり、後記する凸部６と係合している。そして、この係合した状態で撮影部１が回転することによりレンズ保護体４を撮影部１の回転方向と交差する方向であり、レンズ１１と接離する方向へ移動させるようにしてある。また、円盤部１ａ及び板部１ｂは金属製である。また、円盤部１ａのレンズ１１の周りから板部１ｂの先端にかけて合成樹脂製の連結板７が結合されており、該連結板７の一端部にヒンジ８を介してモニタ部３が連結されている。
【００２６】
モニタ部３は液晶パネルを有する扁平の直方体に形成されている。また、モニタ部３の液晶パネルと反対側面には連結板７に対応する連結板９が結合されており、連結板７，９同士がヒンジ８を介して連結されている。
【００２７】
レンズ保護体４は円盤部１ａの外部にレンズ１１と向き合うように配置された保護部４ａと、該保護部４ａの下端から直角状に屈曲し支持部２の支持溝２ｅに移動可能に嵌合支持される取着部４ｂとを有する合成樹脂製の板体からなり、取着部４ｂに撮影部１の回転中心と偏倚しカム５に係合する凸部６が一体に突設されている。この凸部６は長孔２ｄに挿入され、さらにカム６を構成する溝に挿入されてカム５に係合しており、撮影部１が回転することによりカム５との係合位置が変わり、長孔２ｄ内を該長孔２ｄに沿って移動し、保護部４ａをレンズ１１と接離する方向へ移動させるように構成されている。尚、保護部４ａは円盤部１ａの周面に対応して湾曲した湾曲板からなる。
【００２８】
図６及び図７はカメラの撮影部をレンズ開放位置へ回転し、さらにモニタ部を回動させた状態の斜視図である。
【００２９】
以上のように構成されたカメラは、撮影部１が支持部２に対して回転可能であり、モニタ部３が撮影部１に回動可能に連結されているため、撮影部１を回転操作することにより該撮影部１と一体にモニタ部３が回転することになり（図５参照）、この状態で撮影部１に対してモニタ部３をさらに回動させることができる（図６、図７参照）。
【００３０】
非撮影時には撮影部１がレンズ保護位置にあり、レンズ保護体４の保護部４ａがレンズ１１と向き合いレンズ１１を保護している（図３、図４参照）。
【００３１】
被写体を撮影すべく撮影部１をレンズ開放位置へ回転させる場合、撮影部１の回転にともなって凸部６とカム５との係合位置が順次変わり、レンズ保護体４がレンズ１１と離隔する位置へ移動し保護部４ａと撮影部１との間に隙間ができ、保護部４ａが撮影部１と接触しなくなる。従って、撮影部１をスムーズに回転させることができる。
【００３２】
被写体の撮影が終了して撮影部１をレンズ保護位置へ回転させる場合、撮影部１の回転にともなって凸部６とカム５との係合位置が順次変わり、レンズ保護体４がレンズ１１と接近する位置へ移動し保護部４ａと撮影部１との間の隙間がなくなり、保護部４ａが撮影部１に接触しレンズ１１部分の防塵性を高めることができる。
【００３３】
尚、以上説明した実施例では撮影部１の回転に連動してレンズ保護体４を移動させる移動手段として、撮影部１にカム５を設け、このカム５に係合する凸部６をレンズ保護体４に設けた構成としたが、その他、レンズ保護体４にカム５を設け、このカム５に係合する凸部６を撮影部１に設けた構成としてもよいのであり、また、撮影部１の回転に連動してレンズ保護体４をレンズ１１と接離する方向へ移動させることができる機構であればよいのであり、移動手段の構成は特に制限されない。また、カム５及び凸部６を用いる場合、カム５及び凸部６の形状及び配設位置は特に制限されるものでない。
【００３４】
また、本発明に係るカメラはデジタルビデオカメラである他、デジタルスチルカメラであってもよい。
【図面の簡単な説明】
【００３５】
【図１】本発明に係るカメラの構成を示す分解した概略斜視図である。
【図２】本発明に係るカメラの一部を拡大した平面図である。
【図３】本発明に係るカメラの構成を示す平面側斜視図である。
【図４】本発明に係るカメラの構成を示す底面側斜視図である。
【図５】本発明に係るカメラの撮影部をレンズ開放位置へ回転した状態の斜視図である。
【図６】本発明に係るカメラの撮影部をレンズ開放位置へ回転し、さらにモニタ部を回動させた状態の斜視図である。
【図７】本発明に係るカメラの撮影部をレンズ開放位置へ回転し、さらにモニタ部を回動させた状態の斜視図である。
【図８】従来のビデオカメラの構成を示す斜視図である。
【符号の説明】
【００３６】
１  撮影部
２  支持部
３  モニタ部
４  レンズ保護体
５  カム
６  凸部
１１  レンズ
【図１】
2005077532.tif 000003
【図２】
2005077532.tif 000004
【図３】
2005077532.tif 000005
【図４】
2005077532.tif 000006
【図５】
2005077532.tif 000007
【図６】
2005077532.tif 000008
【図７】
2005077532.tif 000009
【図８】
2005077532.tif 000010